(57)【要約】【課題】  簡単に組立てのできるボトルシップ風の容器入り置物の提供。【解決手段】所要の径および奥行きの容器内空間１５を周壁１２により囲繞形成した容器主体部１０と、その周壁１２の一側の開口１３を開閉自在に塞ぐ蓋板１１とからなる透明な容器８，３７と、上記容器内空間１５を仕切る仕切板４，３５と、水生生物，陸生生物，キャラクター，乗り物等を表したマスコットミニチュア１，３１とからなる容器入り置物。【選択図】  図１
0003102590.tif 000002
【実用新案登録請求の範囲】
【請求項１】
所要の径および奥行きの容器内空間を周壁により囲繞形成した容器主体部と、その周壁の一側の開口を開閉自在に塞ぐ蓋板とからなる透明な容器と、上記容器内空間を仕切る仕切板と、水生生物，陸生生物，キャラクター，乗り物等を表したマスコットミニチュアとからなることを特徴とする容器入り置物。
【請求項２】
所要の径および奥行きの容器内空間を周壁により囲繞形成した容器主体部と、その周壁の一側の開口を開閉自在に塞ぐ蓋板とからなる透明な容器と、上記容器内空間を仕切る仕切板と、水生生物，陸生生物，キャラクター，乗り物等を表したマスコットミニチュアと、そのマスコットミニチュアに関連する餌，ルアー，石，水草，枯木等各種の自然物または人工物を表した装飾ミニチュアとからなることを特徴とする容器入り置物。
【請求項３】
上記仕切板が、凹凸を形成することや彩色を施すこと等によって、水面，地面，ステージ，天井，床板等を表してなることを特徴とする請求項１または２記載の容器入り置物。
【請求項４】
上記仕切板が、上記周壁の内面の対向位置に刻設した一対の平行な溝に両側を支持されるようにしてなることを特徴とする請求項１，２または３記載の容器入り置物。
【請求項５】
上記マスコットミニチュアまたは装飾ミニチュアのうち少なくとも１つが、上記仕切板の所要位置に開設した嵌合孔に嵌合されて支持されるようにしてなることを特徴とする請求項１，２，３または４記載の容器入り置物。
【請求項６】
上記マスコットミニチュアまたは装飾ミニチュアのうち少なくとも１つが、容器の内面の所要位置に直接載置されるようにしてなることを特徴とする請求項１，２，３，４または５記載の容器入り置物。
【請求項７】
上記マスコットミニチュアまたは装飾ミニチュアのうち少なくとも１つが、他の上記マスコットミニチュアまたは装飾ミニチュアに支持されるようにしてなることを特徴とする１，２，３，４，５または６記載の容器入り置物。
【請求項８】
上記マスコットミニチュアまたは装飾ミニチュアのうち少なくとも１つが、他の上記マスコットミニチュアまたは装飾ミニチュアに立設した支持棒により支持されるようにしてなることを特徴とする１，２，３，４，５，６または７記載の容器入り置物。
【考案の詳細な説明】
【技術分野】
【０００１】
本考案は、種々のミニチュアを容器内に所要の配置にして収容できるようにした容器入り置物に関する。
【背景技術】
【０００２】
従来より、ボトル等の容器の中に船の模型を収容してなるボトルシップ等の容器入り置物が知られている（非特許文献１，特許文献１）。
【０００３】
【非特許文献１】“ＢｏａｔＭａｉｌ”、Marine and Tea Shop、［online］、［平成15年12月26日検索］、インターネット＜URL http://www.boatmail.co.jp/mbottle.html＞
【特許文献１】実開昭63-201799号公報
【考案の開示】
【考案が解決しようとする課題】
【０００４】
そのボトルシップの組立ては、ボトル内に収容する船の模型を、ボトル口から入れることができる大きさの複数部品からなるものとし、その各部品をピンセットで摘んでボトル口を通してボトル内に入れ、その中で順次組み立てていくとか、折り畳んだ状態の部品をボトル口を通してボトル内に入れ、ボトル内で立ち上げるなどの方法により行われている。
【０００５】
しかし、このようなボトルシップの組立ては大変手間がかかるもので、また、熟練を要するものであった。
【０００６】
そこで、本考案は、簡単に組立てのできるボトルシップ風の容器入り置物を提供することを目的とする。
【課題を解決するための手段】
【０００７】
請求項１記載の本考案容器入り置物は、所要の径および奥行きの容器内空間１５を周壁１２により囲繞形成した容器主体部１０と、その周壁１２の一側の開口１３を開閉自在に塞ぐ蓋板１１とからなる透明な容器８，３７内に、上記容器内空間１５を仕切る仕切板４，３５と、水生生物，陸生生物，キャラクター，乗り物等を表したマスコットミニチュア１，３１とからなる。
【０００８】
請求項２記載の本考案容器入り置物は、所要の径および奥行きの容器内空間１５を周壁１２により囲繞形成した容器主体部１０と、その周壁１２の一側の開口１３を開閉自在に塞ぐ蓋板１１とからなる透明な容器８，３７と、上記容器内空間１５を仕切る仕切板４，３５と、水生生物，陸生生物，キャラクター，乗り物等を表したマスコットミニチュア１，３１と、そのマスコットミニチュア１，３１に関連する餌，ルアー，石，水草，枯木等各種の自然物または人工物を表した装飾ミニチュア２，３，３３，３４とからなる。
【０００９】
請求項３記載の本考案は、上記仕切板４，３５が、凹凸を形成することや彩色を施すこと等によって、水面，地面，ステージ，天井，床板等を表してなる請求項１または２記載の容器入り置物である。
【００１０】
請求項４記載の本考案は、上記仕切板４，３５が、上記周壁１２の内面の対向位置に刻設した一対の平行な溝１６，１６に両側を支持されるようにしてなる請求項１，２または３記載の容器入り置物である。
【００１１】
請求項５記載の本考案は、上記マスコットミニチュア１，３１または装飾ミニチュア２，３，３３，３４のうち少なくとも１つが、上記仕切板４，３５の所要位置に開設した嵌合孔６，３６に嵌合されて支持されるようにしてなる請求項１，２，３または４記載の容器入り置物である。
【００１２】
請求項６記載の本考案は、上記マスコットミニチュア１，３１または装飾ミニチュア２，３，３３，３４のうち少なくとも１つが、容器８，３７の内面の所要位置に直接載置されるようにしてなる請求項１，２，３，４または５記載の容器入り置物である。
【００１３】
請求項７記載の本考案は、上記マスコットミニチュア１，３１または装飾ミニチュア２，３，３３，３４のうち少なくとも１つが、他の上記マスコットミニチュア１，３１または装飾ミニチュア２，３，３３，３４に支持されるようにしてなる１，２，３，４，５または６記載の容器入り置物である。
【００１４】
請求項８記載の本考案は、上記マスコットミニチュア１，３１または装飾ミニチュア２，３，３３，３４のうち少なくとも１つが、他の上記マスコットミニチュア１，３１または装飾ミニチュア２，３，３３，３４に立設した支持棒３２により支持されるようにしてなる１，２，３，４，５，６または７記載の容器入り置物である。
【考案の効果】
【００１５】
本考案によれば、所望の容器入り置物を、容器内空間に仕切板，マスコットミニチュア等を挿入し配置することにより簡単に組み立て完成させることができるもので、しかも、容器内空間を仕切る仕切板の両側の空間を看取できるようにしているので、趣向性に富む。
【考案を実施するための最良の形態】
【００１６】
以下、本考案を実施例により説明するが、本考案はこれに限られるものではない。
【実施例１】
【００１７】
まず、本考案の実施例１について図１〜４を参照しながら詳しく説明する。
１は、水面から飛び出して餌に食いつく瞬間の姿勢のブラックバスを表したマスコットミニチュアで、それは所要のプラスチックから成形され、塗料で適宜彩色されているものである。
２は、上記ブラックバスを表したミニチュア１に、その口元に支持された状態にして一体に成形され、また、彩色された、虫等の餌を表した装飾ミニチュアである。
なお、この餌を表した装飾ミニチュア２は、ブラックバスを表した上記マスコットミニチュア１に一体に成形することなく別体のものとして成形しておき、いずれか一方に形成した所要の突起（図示しない。）を、他方に形成した受入孔（図示しない。）に差し込むなどして上記ブラックバスを表したマスコットミニチュア１に直接支持させるようにしてもよい。
【００１８】
３は、水底にある複数の小石を一体にして表した装飾ミニチュアである。この装飾ミニチュア３も所要のプラスチックから成形され、彩色されているものである。
上記の装飾ミニチュア２，３は、上記ブラックバスを表したマスコットミニチュア１と関連あるもの、すなわちブラックバスの生息環境にあるものを表したものであるが、餌や小石に限らず、たとえば、水草とか枯木等を表したものとしてもよい。また、その数は任意のものとすることができ、場合によっては装飾ミニチュアを省略してもよい。
【００１９】
４は、所要の透明なプラスチックから成形した、所要の長さおよび幅を有する平面長方形の仕切板である。この仕切板４は、その上面に波を表した細かい凹凸５…を形成することにより水面を表しているものである。
その仕切板４のほぼ中央の位置には、上記ブラックバスを表したマスコットミニチュア１を嵌合できる嵌合孔６を開設し、その嵌合孔６の周囲の上面に、ブラックバスが水面に飛び出したときの飛沫を表した、やや大きめの凸部７…を形成してある。なお、この仕切板４は、有色のプラスチックで成形するなどして彩色を施すようにしてもよい。
【００２０】
８は、瓶頭状部９を一体に成形した容器主体部１０と、蓋板１１とからなる、アクリル樹脂等製で無色透明な、瓶を模した容器である。
上記容器主体部１０は、筒状の周壁１２の一側を開口１３とし、他側を壁体１４により閉塞したもので、その壁体１４側に一体に成形された上記瓶頭状部９は、外径を絞った首部９ａとそれよりもやや外径を大きくした拡径部９ｂからなり、瓶の頭の部分を模したものになっている。
１５は、上記周壁１２により囲繞形成された容器内空間を指す。この容器内空間１５の奥行きすなわち上記開口１３から上記壁体１４までの距離は、上記仕切板４の長さと一致している。
【００２１】
１６，１６は、上記周壁１２の内面の対向位置に、開口１３から上記壁体１４に向けて刻設した一対の平行な溝である。
この溝１６，１６は、上記開口１３側では該開口１３の外方にも開口しており、また、該溝１６，１６間の距離は上記仕切板４の幅と一致しているので、上記仕切板４を、該溝１６，１６に幅方向両側を案内させて、開口１３より挿入できるようになっている。
【００２２】
なお、上記溝１６，１６は、上記周壁１２の一側（図では下側）寄りに刻設したものを示したが、その位置は適宜変更でき、たとえば、周壁１２の一直径線上の、互いが正対する位置に刻設し、そこに案内させて差し込んだ仕切板４により容器内空間１５を二等分できるようにしてもよい。
上記容器８の容器内空間１５の径は6cm程度、奥行きは8cm〜10cm程度である。
【００２３】
上記蓋板１１は、上記容器主体部１０の周壁１２の外径と同じ径の、瓶の底板を模した円板状のもので、その一面には、外縁のやや内周側に、嵌合用環状壁１７を形成してある。
この嵌合用環状壁１７の径は、上記容器主体部１０の周壁１２の開口径と一致しており、上記蓋板１１は、該嵌合用環状壁１７を上記開口１３に一致嵌合させることにより、該開口１３を開閉自在に塞ぐことができるものである。
【００２４】
なお、上記容器主体部１０の容器内空間１５の奥部は壁体１４により閉塞されているものとしたが、該容器内空間１５の奥部を、上記拡径部９ｂ側まで連通開口させた状態にしてもよい。
また、上記蓋板１１は、容器主体部１０の開口１３を塞ぐことができるようにしてあればよいもので、上記のように嵌合用環状壁１７を設けて開口１３に一致嵌合できるようにするほか、たとえば、上記周壁１２に螺合できるような適宜の形状にするなどしてもよい。
【００２５】
１８は、平面長方形の主板１９の上面の両側に一対の石を模した凸部２０，２０を一体に形成している、所要のプラスチックからなる台座である。この台座１８は、上記凸部２０，２０の間に、上記容器８を横倒し状態で、転がらないようにして載置できるようになっている。
【００２６】
上記マスコットミニチュア１，装飾ミニチュア２，３および仕切板４を、所要の配置にして上記容器８内に収容することによって本考案容器入り置物Ａが構成されるが、その組立ては、たとえば以下の手順により行うことができる。
【００２７】
(1)仕切板４の嵌合孔６に上記ブラックバスを表したマスコットミニチュア１を嵌合させる。
(2)その仕切板４を、上記溝１６，１６に幅方向両側を案内させて、横倒し状態にした容器主体部１０の開口１３より挿入し、前端が上記壁体１４に当接するところまで差し込む。これにより、該仕切板４は、溝１６，１６に支持され、かつ容器内空間１５を、図１〜３で示すように、下からほぼ１／３程度の位置において上下に仕切る。
(3)上記小石を表した装飾ミニチュア３を、容器主体部１０の周壁１２の下部内面に直接載置することにより、上記仕切板４により区切られた下側の空間１５’に配置する。
(4)蓋板１１の嵌合用環状壁１７を上記周壁１２の開口１３に嵌合させて、該開口１３を、該蓋板１１により塞ぐ。
(5)上記容器８を横倒し状態で台座１８上に、該台座１８の凸部２０，２０の間に位置させて載置する。
【００２８】
本容器入り置物は、上記のようにして簡単に組み立て完成させることができるもので、完成状態では、ブラックバスが水面から飛び出して餌に食いつくときの動きのある様子を表したものになっている。しかも、水面を表した仕切板により、容器内空間を上下に仕切っていることにより、水面上だけでなく水中の様子を看取することができるものとなっているので、趣向性に富む。
【実施例２】
【００２９】
次に、本考案の実施例２について図５〜８を参照しながら詳しく説明する。
３１は、ルアーに食いつく瞬間の姿勢のイワナを表したマスコットミニチュアで、それは所要のプラスチックから成形され、適宜彩色されているものである。
３２は、上記イワナを表したマスコットミニチュア３１を支持するための所要長さの支持棒で、該マスコットミニチュア３１の腹部（下面側）に穿設した支持棒受入孔（図示しない）に、上端を受入させることができるようになっている。
【００３０】
３３は、水底にある複数の小石を一体に表した装飾ミニチュアである。この装飾ミニチュア３３も所要のプラスチックから成形され、彩色されているものである。
この装飾ミニチュア３３の上面側には、上記支持棒３２の下端を差し込める支持棒受入孔（図示しない）が穿設されている。
【００３１】
３４は、ルアーを表した装飾ミニチュアで、それは、上記イワナを表したマスコットミニチュア３１とは別体のものとして成形されている点において、実施例１で説明したブラックバスを表したマスコットミニチュア１が、その口元に餌を表した装飾ミニチュア２を一体に成形しているのと異なる。
このルアーを表した装飾ミニチュア３４は、所要のプラスチックより成形され、かつ適宜彩色された本体３４ａの下部および後端部に、釣り針３４ｂ，３４ｂを取り付けてなる。
【００３２】
３５は、有色または無色の透明なプラスチックから成形した、所要の長さおよび幅を有する平面長方形の仕切板である。この仕切板３５は、その上面に波を表す凹凸を必要に応じて形成するとか、塗料で彩色する等の適宜の方法でより水面を表しているものである。
その仕切板３５の長手方向一側寄りの位置には、上記ルアーを表した装飾ミニチュア３４を嵌合できる嵌合孔３６を開設している。
【００３３】
３７は、上記実施例１で説明した容器８と同一の容器であるので、その同一の部分には容器８の部分を示したのと同一の符号を付して説明を省略するが、本実施例の図５〜８では、実施例１の図１〜４で示した状態と異なり、容器主体部１０の一対の溝１６，１６を、上側に位置させた状態にして示してある。
【００３４】
３８は、平面長方形で、その上面を樋状に窪ませた所要のプラスチック製の台座である。その上面の樋状の窪みは、上記容器３７の容器主体部１０の外周面と同一の曲率にしてあり、該容器３７を横倒しにして、転がらないように載置することができる。
【００３５】
上記マスコットミニチュア３１，装飾ミニチュア３３，３４および仕切板３５を、所要の配置にして上記容器３７に収容することによって本考案容器入り置物Ｂが構成されるが、その組立ては、たとえば以下の手順により行うことができる。
(1)仕切板３５の嵌合孔３６に、上記ルアーを表した装飾ミニチュア３４を嵌合させる。
(2)その仕切板３５を、上記溝１６，１６に幅方向両側を案内させて、横倒し状態にした容器主体部１０の開口１３より挿入し、前端が上記壁体１４に当接するところまで差し込む。これにより、該仕切板３５は、溝１６，１６に支持され、かつ容器内空間１５を、図５〜７で示すように、上からほぼ１／３程度の位置において上下に仕切る。
(3)上記小石を表した装飾ミニチュア３３の支持棒受入孔に、支持棒３２の下端を差し込みこれを立設し、さらに、その支持棒３２により、上記イワナを表したマスコットミニチュア３１を、該マスコットミニチュア３１の支持棒受入孔に上記支持棒３２の上端を受入させることにより支持する。
(4)容器主体部１０の周壁１２の下部内面に、上記小石を表した装飾ミニチュア３３を支持棒３２およびマスコットミニチュア３１ごと直接載置して、上記仕切板３５により区切られた下側の空間１５”に配置する。
このとき、イワナを表したマスコットミニチュア３１の頭部が上記ルアーを表したミニチュア３４の後端部付近に位置するようにするとよい。
(5)蓋板１１の嵌合用環状壁１７を上記周壁１２の開口１３に嵌合させて、該開口１３を、該蓋板１１により塞ぐ。
(6)上記容器８を横倒し状態で台座３８上に載置する。
【００３６】
上記のようにして組み立てられ完成した本考案容器入り置物Ｂは、イワナが、水面のルアーに食いつこうとする瞬間の様子を表したもので、その様子を水面上だけでなく水中からも見ることができるものとなっており、趣向性に富む。
【００３７】
上記で説明した各実施例の本考案容器入り置物Ａ，Ｂは、その販売時には、上記各ミニチュア１，２，３等、仕切板４等、および台座１８等を１セットとして、それらを組み立てることなく容器８等内に収容して梱包しておき、これを購入者において自ら開封して取り出し、上記のようにして組み立てられるようにするのが好ましい。
また、それらの収容は、内部の上記ミニチュア１，２，３等が見えないよう不透明な袋にて包み、その袋ごと上記容器８等内に収容するようにするのがよい。
このようにすれば、購買者には、後記の各種ミニチュアのうちいずれのミニチュアが入っているのかわからないので、購買者は無作為に抽選のようにして容器入り置物を選ぶことができ、購買意欲をそそるものとすることができる。
【００３８】
上記各実施例では、マスコットミニチュアとして、ブラックバスを表したもの、およびイワナを表したものを例に挙げ説明したが、それらの代わりに、イワナ，ヤマメ，シーバス，アマゴ，アユ、レインボー，ヘラブナ等、他の魚を表したものとすることができる。また、マスコットミニチュアは少なくとも１つ備えれていればよいもので、複数備えてもよい。
【００３９】
また、各種の魚が餌やルアーに食いつく瞬間を表したものに限らず、他の動きをしているところを表したものとしてもよい。
【００４０】
さらに、マスコットミニチュアとしては上記のような魚を表したものに限られず、魚以外の他の水生生物，陸生生物，キャラクター等を表してもよいし、船や潜水艦等の乗り物を表してもよい。上記各実施例では仕切板４，３５を水面を表したものとしたが、仕切板は、このマスコットミニチュアとして表すものに関連させて、水面，地面，ステージ，天井，床板等を表したものとするのがよい。
【００４１】
装飾ミニチュアとしては、上記では魚に関連するもの、すなわち魚の生息環境にあるものとして、小石を表したもの、餌をあらわしたもの、およびルアーを表したもの等を示したが、それは上記マスコットミニチュアが表すものに応じ、それに関連する各種の自然物または人工物を表したものとすればよい。
【００４２】
上記各ミニチュアの配置方法として、仕切板４，３５に嵌合させることにより支持させたり、他のミニチュアにより支持棒３２を介して支持させるほか、容器主体部１０の下側内面に直接載置したものを示したが、そのほか、仕切板４，３５上に載置するなどしてもよい。
【００４３】
また、上記では、円筒形の瓶状の容器を示したが、容器の形状は角形その他各種の形状とすることができる。
【図面の簡単な説明】
【００４４】
【図１】本考案の実施例１に係る容器入り置物の斜視図である。
【図２】同上の分解斜視図である。
【図３】図１のI-I線断面図である。
【図４】図１のIIーII線断面図である。
【図５】本考案の実施例２に係る容器入り置物の斜視図である。
【図６】同上の分解斜視図である。
【図７】図５のIII-III線断面図である。
【図８】図５のIV-IV線断面図である。
【符号の説明】
【００４５】
Ａ，Ｂ              容器入り置物
１，３１            マスコットミニチュア
２，３，３３，３４  装飾ミニチュア
４，３５    仕切板
６，３５    嵌合孔
８，３７    容器
１０        容器主体部
１１        蓋板
１２        周壁
１３        開口
１５        容器内空間
１６        溝
１８，３８  台座
３２        支持棒
【図１】
0003102590.tif 000003
【図２】
0003102590.tif 000004
【図３】
0003102590.tif 000005
【図４】
0003102590.tif 000006
【図５】
0003102590.tif 000007
【図６】
0003102590.tif 000008
【図７】
0003102590.tif 000009
【図８】
0003102590.tif 000010
【手続補正書】
【提出日】平成16年2月18日(2004.2.18)
【手続補正１】
【補正対象書類名】実用新案登録請求の範囲
【補正対象項目名】請求項７
【補正方法】変更
【補正の内容】
【請求項７】
上記マスコットミニチュアまたは装飾ミニチュアのうち少なくとも１つが、他の上記マスコットミニチュアまたは装飾ミニチュアに支持されるようにしてなることを特徴とする請求項１，２，３，４，５または６記載の容器入り置物。
【手続補正２】
【補正対象書類名】実用新案登録請求の範囲
【補正対象項目名】請求項８
【補正方法】変更
【補正の内容】
【請求項８】
上記マスコットミニチュアまたは装飾ミニチュアのうち少なくとも１つが、他の上記マスコットミニチュアまたは装飾ミニチュアに立設した支持棒により支持されるようにしてなることを特徴とする請求項１，２，３，４，５，６または７記載の容器入り置物。